(57)【要約】【課題】外部から加わる衝撃力により被梱包物を変形させることなく、被梱包物を安定して積載可能な積層段ボール製緩衝材を提供する。【解決手段】緩衝材１３は、２枚の平板３０及びその間に挟まれた波板３１から成る段ボールシート３２を多数積層して形成されている。製品を支持する支持面２０ａは、製品のエッジ部のみが線接触するように傾斜面となっている。【選択図】図１
2007153413.tif 000002
【特許請求の範囲】
【請求項１】
平板と波板とから構成される段ボールシートを多数積層して成り、梱包箱の隅部と被梱包物との隙間に配置され前記被梱包物に加わる外部衝撃を緩衝して保護する緩衝材において、
前記被梱包物を支持する支持面が、前記被梱包物のエッジ部と線接触する傾斜面であることを特徴とする積層段ボール製緩衝材。
【請求項２】
前記支持面は、前記被梱包物の底面のエッジ部を支持することを特徴とする請求項１に記載の積層段ボール製緩衝材。
【請求項３】
前記段ボールシートは、前記平板と前記波板により形成される細管の長手方向が、前記被梱包物の底面に対して垂直になるように積層されることを特徴とする請求項２に記載の積層段ボール製緩衝材。
【請求項４】
前記段ボールシートは、前記支持面に接触する前記エッジ部の長さ方向に積層されることを特徴とする請求項３に記載の積層段ボール製緩衝材。
【請求項５】
前記支持面が、段ボールシートで覆われていることを特徴とする請求項２乃至請求項４のいずれかに記載の積層段ボール製緩衝材。
【請求項６】
前記傾斜面の角度が、１５°以上３０°以下であることを特徴とする請求項２乃至請求項５のいずれかに記載の積層段ボール製緩衝材。
【発明の詳細な説明】
【技術分野】
【０００１】
本発明は、例えば電子機器等のような製品を梱包用の段ボール箱等の梱包箱に詰めて梱包する際に、製品と梱包箱の間に配置することにより、運搬又は保管する途中で、落下時等において外部から加わる衝撃を緩衝して製品を保護するために用いられる梱包用緩衝材に関するものである。
【背景技術】
【０００２】
従来の梱包用緩衝材としては、例えば図６に示すようなものが用いられている。図６（ａ）は従来の緩衝材を用いた梱包状態を示す平面図であり、図６（ｂ）は正面断面図（図６（ａ）のＡ−Ａ′断面）である。同図に示すように、段ボール箱１２の中には被梱包物である製品１１が梱包されている。そして製品１１の左右両端部には、緩衝材１３、１４が段ボール箱１２との間に配置されている。
【０００３】
従来の緩衝材の構造を図７に示す。図７（ａ）は緩衝材の斜視図、図７（ｂ）は緩衝材の平面図、図７（ｃ）は緩衝材の右側面図である。緩衝材１３は、長壁面１３ａ、１３ｂ、短壁面１３ｃ、１３ｄ、及び上面１３ｅから成り、底部には成型時に雄型を抜いた型抜き穴１７が形成されている。製品１１（図６参照）側に面する長壁面１３ａと上面１３ｅとが接する角部１８の一部が切り取られ、製品１１の底面を支持する支持面２０ａ、及び製品１１の側面を支持する支持面２０ｂが形成されている。
【０００４】
型抜き穴１７の開口端及び長壁面１３ｂ、短壁面１３ｃ、１３ｄが段ボール箱１２（図６参照）の内面に接することにより、輸送時における段ボール箱１２内での製品１１の動きを規制する。この緩衝材１３は、所定の形状の雄型及び雌型を用いて原料を成形した後、図中矢印ＡＡ′方向に型抜きして製造される。なお、図６の右側の緩衝材１４についても全く同様の構造であるため、説明は省略する。
【０００５】
このような従来の緩衝材においては、被梱包物が高重量の場合、衝撃により緩衝材が押し潰されてしまい、十分な緩衝効果を発揮できないという問題点があった。そこで、緩衝材の強度を高めて高重量の製品への利用を可能とする方法が種々提案されており、例えば特許文献１には、四角形の段ボールシートの両端部を内側に折り曲げて２個の平行な三角柱を形成し、この三角柱の対角面上に製品を固定するための折目線や固定穴を設けて安定した積載を可能とし、且つ製品の積載時に三角柱の底面が浮揚することにより製品をブリッジ状に吊り下げて荷重を箱の側面に分散させる梱包用緩衝材が開示されている。
【０００６】
また、特許文献２には、梱包箱とテレビ受像機の傾斜面との間に三角柱状のコーナーポストを介在させることにより、テレビ受像機の緩衝材からの脱落を防止するとともに、より大型且つ高重量のテレビ受像機にも使用可能な梱包箱が開示されている。さらに特許文献３には、製品の底面を受ける受圧板を底板に対し傾斜させることにより、製品の下方及び両側方に緩衝空間を確保して振動や衝撃を低減する梱包用緩衝材が開示されている。
【０００７】
ところで、特に高重量の被梱包物を確実に支持するために、図７のような中空状の緩衝材に代えて、例えば発泡スチロール等の合成樹脂の成型品や切り出し品、或いは平板と波板とから構成される段ボールシートを多数積層して成る緩衝材（以下、積層段ボール製緩衝材という）等の、いわゆるコアタイプの緩衝材が広く用いられており、中でもリサイクル性に優れ、環境に対する負荷も少ない積層段ボール製緩衝材の需要が高まっている。
【０００８】
ここで、積層段ボール製緩衝材においても支持面２０ａは所定以上の大きさに形成しておく必要があるが、外部から上下方向の衝撃が加えられた場合、被梱包物の底面のうち支持面２０ａに接する部分全体に衝撃が分散し、緩衝材からの反作用により図８のように被梱包物の底面が変形することがある。この問題を解決する方法としては、最も強度のある被梱包物の底面エッジ部に外部からの衝撃を集中することが考えられる。
【０００９】
一方、図９のように支持面２０ａを小さくしてエッジ部１１ａ付近のみを支持する構成とすると、上下方向の衝撃をエッジ部に集中可能となる反面、横方向（図９では右側）からの衝撃が加えられた場合、緩衝材１３の上部が変形して反対側の緩衝材１４の支持面２０ａから製品１１の脱落が発生し易くなるという問題点があった。なお、上記特許文献１乃至３の方法は、いずれも段ボールシートを折り曲げて形成する中空状の緩衝材に適用されるものであり、積層段ボール製緩衝材において衝撃を被梱包物のエッジ部分に集中できるものではなかった。
【００１０】
また、特許文献４には、縦目方向と横目方向に配列された積層段ボールを少なくとも１つずつ被梱包物の荷重方向に配置することにより、クッション性と耐圧性を兼備させた積層段ボール製緩衝材が開示されているが、被梱包物の底面の変形を確実に防止するためには更なる改良の余地が残されていた。
【特許文献１】特開２０００−３０２１６９号公報
【特許文献２】特開２００２−１０４３９６号公報
【特許文献３】特開２０００−４３９４４号公報
【特許文献４】特開２００５−１８６９８８号公報
【発明の開示】
【発明が解決しようとする課題】
【００１１】
本発明は、上記問題点に鑑み、外部から加わる衝撃力の反作用により被梱包物を変形させることなく、被梱包物を安定して積載可能な積層段ボール製緩衝材を提供することを目的とするものである。
【課題を解決するための手段】
【００１２】
上記目的を達成するために本発明は、平板と波板とから構成される段ボールシートを多数積層して成り、梱包箱の隅部と被梱包物との隙間に配置され前記被梱包物に加わる外部衝撃を緩衝して保護する緩衝材において、前記被梱包物を支持する支持面が、前記被梱包物のエッジ部と線接触する傾斜面であることを特徴としている。
【００１３】
また本発明は、上記構成の積層段ボール製緩衝材において、前記支持面は、前記被梱包物の底面のエッジ部を支持することを特徴としている。
【００１４】
また本発明は、上記構成の積層段ボール製緩衝材において、前記段ボールシートは、前記平板と前記波板により形成される細管の長手方向が、前記被梱包物の底面に対して垂直になるように積層されることを特徴としている。
【００１５】
また本発明は、上記構成の積層段ボール製緩衝材において、前記段ボールシートは、前記支持面に接触する前記エッジ部の長さ方向に積層されることを特徴としている。
【００１６】
また本発明は、上記構成の積層段ボール製緩衝材において、前記支持面が段ボールシートで覆われていることを特徴としている。
【００１７】
また本発明は、上記構成の積層段ボール製緩衝材において、前記傾斜面の角度が、１５°以上３０°以下であることを特徴としている。
【発明の効果】
【００１８】
本発明の第１の構成によれば、被梱包物のエッジ部と支持面とが線接触するため、外部からの衝撃を被梱包物のエッジ部にのみ集中させることができ、緩衝材からの反作用による被梱包物の外面の変形を防止することができる。また、被梱包物の配置がずれた場合でも支持面により確実にエッジ部が支持されるため、搬送中に加わる衝撃から被梱包物を効果的に保護可能となる。
【００１９】
また、本発明の第２の構成によれば、上記第１の構成の積層段ボール製緩衝材において、支持面が被梱包物の底面のエッジ部を支持することにより、搬送中に受けやすい上下方向の衝撃を被梱包物底面のエッジ部にのみ集中させることができ、緩衝材からの反作用による被梱包物底面の変形を防止することができる。
【００２０】
また、本発明の第３の構成によれば、上記第２の構成の積層段ボール製緩衝材において、段ボールシートの平板と波板により形成される細管の長手方向が、被梱包物の底面に対して垂直になるように積層されるため、緩衝材の上下方向の耐圧強度が高くなり、荷重衝撃に対する変形量を少なくすることができる。
【００２１】
また、本発明の第４の構成によれば、上記第３の構成の積層段ボール製緩衝材において、支持面に接触するエッジ部の長さ方向に段ボールシートを積層することにより、エッジ部と支持面との摩擦が低減されるため、支持面の同一箇所に継続して荷重が掛かることによる支持面のへこみを抑制することができる。
【００２２】
また、本発明の第５の構成によれば、上記第２乃至第４のいずれかの構成の積層段ボール製緩衝材において、支持面を段ボールシートで覆うことにより、支持面の強度を高めるとともに、支持面とエッジ部との摩擦を一層小さくして支持面の同一箇所へ継続して荷重が掛かるのを効果的に抑制することができる。
【００２３】
また、本発明の第６の構成によれば、上記第２乃至第５のいずれかの構成の積層段ボール製緩衝材において、傾斜面の角度を１５°以上３０°以下とすることにより、被梱包物と支持面との面接触を防止してエッジ部に衝撃を確実に集中させるとともに、上下方向からの衝撃による支持面からの被梱包物の滑落を防止することができる。
【発明を実施するための最良の形態】
【００２４】
以下に本発明の実施形態を図面を参照して説明する。図１は、本発明の第１実施形態に係る積層段ボール製緩衝材の構成を示す概略図であり、図１（ａ）、（ｂ）、（ｃ）はそれぞれ緩衝材の斜視図、平面図及び右側面図である。従来例の図７と共通する部分には同一の符号を付して説明を省略する。図１（ａ）に示すように、緩衝材１３は２枚の平板３０及びその間に挟まれた波板３１から成る矩形の段ボールシート３２を多数積層して形成されている。また、緩衝材１３の長手方向の上端角部が斜めに削り取られ、支持面２０ａが形成されている。
【００２５】
図２は、本実施形態の緩衝材を用いて製品を梱包した状態を示す断面図であり、図３は、図２の梱包状態において横方向（図の矢印方向）から衝撃が加えられた状態を示す断面図である。従来例の図８及び図９と共通する部分には同一の符号を付して説明を省略する。同図に示すように、製品１１の左右両端部には、緩衝材１３、１４が段ボール箱１２との間に配置されている。支持面２０ａが傾斜面であるため、製品１１のエッジ部１１ａは緩衝材１３、１４の支持面２０ａと線接触している。右側の緩衝材１４の構造は、図１に示した緩衝材１３と全く同様である。
【００２６】
本発明においては、緩衝材１３、１４の支持面２０ａを傾斜面としたことを特徴とするものである。これにより、外部からの衝撃が製品１１の底面のエッジ部１１ａにのみ集中するため、緩衝材１３、１４からの反作用による底面の変形（図８参照）を防止することができる。また、図３のように横方向からの衝撃が加えられた場合でも衝撃はエッジ部１１ａに集中するため、製品１１の側板の変形も防止でき、仮に製品１１の配置がずれた場合でも確実に支持面２０ａによりエッジ部１１ａが支持されるため、支持面２０ａから製品１１が脱離、落下（図９参照）するおそれもなくなる。
【００２７】
また、緩衝材１３、１４は、平板３０と波板３１により形成される細管３３の長手方向（図１（ａ）では上下方向）が、製品１１の底面に対して垂直になるように段ボールシート３２が積層されて形成されているため、搬送時に梱包物に作用する可能性の高い緩衝材１３、１４の上下方向からの荷重衝撃に対する耐圧強度を高めることができる。
【００２８】
支持面２０ａは、同一形状の矩形の段ボールシート３２を多数積層して直方体状の緩衝材１３とした後、長手方向の角部を所定角度に削り取って形成しても良いし、予め角部が切り取られた段ボールシート３２を積層することにより支持面２０ａを形成しても良い。
【００２９】
支持面２０ａの傾斜角θは、被梱包物である製品の形状や重量に応じて設定することができるが、傾斜角θが大きすぎると横方向からの衝撃により製品１１が支持面２０ａから滑り落ち易くなり、逆に傾斜角θが小さすぎると、製品１１の位置がずれた場合に底面と支持面２０ａとが面接触してしまい、エッジ部１１ａに衝撃を集中させることができない。また、搬送中においては上下方向の衝撃が加わる可能性が高いため、上下方向の衝撃により製品１１の位置ずれの生じにくい角度とする必要がある。そのため、傾斜角θは１５°以上３０°以下の範囲に設定するのが好ましい。
【００３０】
図４は、本発明の第２実施形態に係る積層段ボール製緩衝材を示す斜視図である。本実施形態においては、段ボールシート３２を製品１１（図２参照）の底面に対して垂直、且つエッジ部１１ａ（図２参照）に対し平行に積層している。その他の構成は第１実施形態と同様である。本実施形態においても、平板３０と波板３１により形成される細管３３の長手方向（図４では上下方向）が、製品１１の底面に対して垂直になるように段ボールシート３２が積載されて形成されているため、第１実施形態と同様に緩衝材１３、１４の上下方向からの荷重衝撃に対する耐圧強度を高めることができる。
【００３１】
また、段ボールシート３２がエッジ部１１ａに対し平行に積層されるため、エッジ部１１ａと支持面２０ａとの摩擦が大きくなり、第１実施形態に比べて製品１１の位置ずれを低減することができる。しかし、支持面２０ａの同一箇所に継続して荷重が掛かるため、支持面２０ａにへこみが生じて製品１１の底面との接触面積が増大してしまう可能性もある。そのため、製品１１の底面の変形を防止する観点からは、外部からの衝撃を確実にエッジ部１１ａに集中させることのできる第１実施形態の方がより好ましい。
【００３２】
図５は、本発明の第３実施形態に係る積層段ボール製緩衝材を示す斜視図である。本実施形態においては、段ボールシート３２を製品１１の底面に対して平行に積層しており、支持面２０ａには１枚の段ボールシート３２が貼り付けられている。
【００３３】
段ボールシート３２は、平板３０と波板３１により形成される細管３３の長手方向の耐圧強度は大きいが、シート表裏方向の耐圧強度は小さい。そのため、本実施形態のように段ボールシート３２を製品１１の底面に対し平行に積層して緩衝材１３を形成した場合、上下方向からの荷重衝撃がエッジ部１１ａを介して段ボールシート３２の表裏方向に伝わり、細管３３が押し潰されて支持面２０ａにへこみが生じ易くなる。
【００３４】
そこで、支持面２０ａを覆うように段ボールシート３２を貼り付けることにより、支持面２０ａの強度を高めるとともに、支持面２０ａとエッジ部１１ａとの摩擦を小さくして支持面２０ａの同一箇所へ継続して荷重が掛かるのを抑制している。
【００３５】
その他本発明は上記実施形態に限定されず、本発明の趣旨を逸脱しない範囲で種々の変更が可能である。例えば、第１及び第２実施形態においても第３実施形態と同様に支持面２０ａに段ボールシート３２を貼り付けることにより、支持面２０ａのへこみを低減する構成としても良い。また、上記各実施形態においては、緩衝材を製品１１の左右に１個ずつ計２個配置した場合について説明したが、例えば製品１１の左右に加えて前側、或いは後ろ側にも１個の計３個配置しても良く、製品１１の前後左右に各１個ずつ計４個配置しても良い。さらに、種々の組み合わせにより５個以上配置するようにしても良い。また、製品の上面又は側面の変形を防止するため、本発明の緩衝材を製品１１の底面のエッジ部１１ａのみでなく、上面のエッジ部と段ボール箱１２との間に配置することもできる。この場合、製品の上面又は側面の変形を防止可能となる。
【００３６】
また、ここでは緩衝材１３、１４を配置する梱包箱の例として、底面及び側面が一体形成された段ボール箱１２を挙げているが、本発明の緩衝材は、段ボール箱の底面を兼ねる段ボールパレットと、筒状の側面部とを別部材とし、製品を段ボールパレット上に載置した後、段ボールパレットと側面部とを一体に連結するタイプの梱包箱にも適用できるのはもちろんである。
【産業上の利用可能性】
【００３７】
本発明は、平板と波板とから構成される段ボールシートを多数積層して成り、梱包箱の隅部と被梱包物との隙間に配置されて被梱包物に加わる外部衝撃を緩衝して保護する緩衝材において、被梱包物を支持する支持面を、被梱包物のエッジ部と線接触する傾斜面としたものである。
【００３８】
これにより、被梱包物と支持面との接触が線接触となり、外部からの衝撃を被梱包物のエッジ部にのみ集中させて反作用による被梱包物の変形を防止する積層段ボール製緩衝材を簡便且つ低コストで提供することができる。また、被梱包物の配置がずれた場合でも傾斜面である支持面により確実にエッジ部が支持されるため、被梱包物を衝撃から効果的に保護することができる。特に、緩衝材を梱包箱の下隅部に配置して底面のエッジ部を支持する場合、搬送中に受けやすい上下方向の衝撃に対して有効となる。
【００３９】
また、段ボールシートの平板と波板により形成される細管の長手方向が、被梱包物の底面に対して垂直になるように積層したので、搬送時に梱包物に作用する可能性の高い上下からの荷重衝撃による緩衝材の変形を低減することができる。さらに、支持面に接触するエッジ部の長さ方向に段ボールシートを積層してエッジ部と支持面との摩擦を低減すれば、支持面の同一箇所への継続的な荷重による支持面のへこみの発生を抑制して被梱包物の底面と支持面との接触面積の増大を防止可能となる。
【００４０】
また、支持面を段ボールシートで覆うこととすれば、支持面の強度が高められ、且つエッジ部との摩擦が低減するため同一箇所への荷重の集中による支持面のへこみを効果的に抑制できる。さらに、傾斜面の角度を１５°以上３０°以下とした場合、被梱包物底面と支持面との面接触を防止してエッジ部に衝撃を確実に集中させるとともに、横方向からの衝撃による支持面からの被梱包物の滑落を防止可能な積層段ボール製緩衝材となる。
【図面の簡単な説明】
【００４１】
【図１】は、本発明の第１実施形態に係る緩衝材の構造を示す概略図である。
【図２】は、第１実施形態の緩衝材を用いた梱包状態を示す正面断面図である。
【図３】は、第１実施形態の緩衝材を用いた梱包状態において横方向から衝撃が加えられた状態を示す正面断面図である。
【図４】は、本発明の第２実施形態に係る緩衝材の構造を示す斜視図である。
【図５】は、本発明の第３実施形態に係る緩衝材の構造を示す斜視図である。
【図６】は、従来の緩衝材を用いた梱包状態を示す平面図及び正面断面図である。
【図７】は、従来の緩衝材の構造を示す概略図である。
【図８】は、従来の緩衝材を用いた梱包による製品底面の変形を示す正面断面図である。
【図９】は、従来の緩衝材を用いた梱包による製品の脱落を示す正面断面図である。
【符号の説明】
【００４２】
１１            製品（被梱包物）
１１ａ          エッジ部
１２            段ボール箱（梱包箱）
１３、１４      緩衝材
２０ａ、２０ｂ  支持面
３０            平板
３１            波板
３２            段ボールシート
３３            細管
θ              傾斜角
【図１】
2007153413.tif 000003
【図２】
2007153413.tif 000004
【図３】
2007153413.tif 000005
【図４】
2007153413.tif 000006
【図５】
2007153413.tif 000007
【図６】
2007153413.tif 000008
【図７】
2007153413.tif 000009
【図８】
2007153413.tif 000010
【図９】
2007153413.tif 000011